(57)【要約】【課題】一般的な用紙を使用して印刷を行う環境下において、オートメディア検知機能を用いて用紙種別を行いつつ、ユーザの使用用紙の制限を行う場合、使用用紙の種別の切り替わりを見つけた際には印字を継続するか、停止するかを、使用環境に合わせ設定可能な画像形成装置を提供する。【解決手段】画像形成装置は、ジョブに含まれる原稿画像を用紙に印字する印字部と、印字部に給紙される用紙種別を検知する用紙種別検知部と、ユーザ毎に使用可能な用紙種別を設定する用紙設定部と、ジョブ中に用紙種別検知部で検知した用紙種別の切り替わりを検知する切替検知部と、ジョブ中に切替検知部により用紙種別の切り替わりを検知した際に、用紙設定部の設定情報に基づいて印字部の印字処理の許可／不許可を判定する判定部と、判定部の判定結果に対して、ジョブの情報に基づいて判定部の判定を変更する判定変更部と、判定変更部の変更結果に基づいて印字部に対して印字／停止動作を指示する動作指令部とを備える。【選択図】図７
2020181163.tif 000002
【特許請求の範囲】
【請求項１】
ジョブに含まれる原稿画像を用紙に印字する印字部と、
前記印字部に給紙される用紙種別を検知する用紙種別検知部と、
ユーザ毎に使用可能な用紙種別を設定する用紙設定部と、
前記ジョブ中に前記用紙種別検知部で検知した用紙種別の切り替わりを検知する切替検知部と、
前記ジョブ中に前記切替検知部により前記用紙種別の切り替わりを検知した際に、前記用紙設定部の設定情報に基づいて前記印字部の印字処理の許可／不許可を判定する判定部と、
前記判定部の判定結果に対して、前記ジョブの情報に基づいて前記判定部の判定を変更する判定変更部と、
前記判定変更部の変更結果に基づいて前記印字部に対して印字／停止動作を指示する動作指令部とを備える、画像形成装置。
【請求項２】
前記判定変更部は、
前記判定部の判定結果に対応する変更判定テーブルを設定するためのテーブル設定部と、
前記変更判定テーブルの情報と、前記ジョブの情報とに基づいて前記判定部の判定の変更の可否を判断する条件判定部とを含む、請求項１記載の画像形成装置。
【請求項３】
前記テーブル設定部は、前記判定部の判定結果が許可判定である場合に対応する第１変更判定テーブルおよび前記判定部の判定結果が不許可判定である場合に対応する第２変更判定テーブルの少なくとも一方を設定する、請求項２記載の画像形成装置。
【請求項４】
前記変更判定テーブルは、前記判定部の判定を変更する複数の条件を含み、
前記複数の条件のそれぞれには、前記条件判定部による判断の順序の優先順位が割り当てられる、請求項２記載の画像形成装置。
【請求項５】
各条件は、予め登録された複数の条件情報の中から選択受け付け可能に設けられる、請求項４記載の画像形成装置。
【請求項６】
前記判定変更部は、前記判定部の判定結果が不許可判定である場合には、前記ジョブが所定情報を含む場合には、前記判定部の判定結果を許可に変更し、
前記動作指令部は、前記判定変更部の許可の変更に従って前記印字部に対して印字動作を指示する、請求項１記載の画像形成装置。
【請求項７】
前記判定変更部は、前記判定部の判定結果が不許可判定である場合には、前記ジョブが時間的制約に関連する原稿画像を含む場合には、前記判定部の判定結果を許可に変更する、請求項６記載の画像形成装置。
【請求項８】
前記判定変更部は、前記判定部の判定結果が不許可判定である場合には、前記ジョブの進捗状況が所定の割合以上である場合には、前記判定部の判定結果を許可に変更する、請求項６記載の画像形成装置。
【請求項９】
前記判定変更部は、前記判定部の判定結果が不許可判定である場合には、前記ジョブの受付時刻が所定期間内である場合には、前記判定部の判定結果を許可に変更する、請求項６記載の画像形成装置。
【請求項１０】
前記判定変更部は、前記判定部の判定結果が許可判定である場合には、前記ジョブが所定情報を含む場合には、前記判定部の判定結果を不許可に変更し、
前記動作指令部は、前記判定変更部の不許可の変更に従って前記印字部に対して停止動作を指示する、請求項１記載の画像形成装置。
【請求項１１】
前記判定変更部は、前記判定部の判定結果が許可判定である場合には、前記ジョブが特殊用紙に印字する設定情報を含む場合には、前記判定部の判定結果を不許可に変更する、請求項１０記載の画像形成装置。
【請求項１２】
前記判定変更部は、前記判定部の判定結果が許可判定である場合には、前記ジョブが外部に提出される資料に関する原稿画像である場合には、前記判定部の判定結果を不許可に変更する、請求項１０記載の画像形成装置。
【請求項１３】
前記判定変更部は、前記判定部の判定結果が許可判定である場合には、前記ジョブの進捗状況が所定の割合以下である場合には、前記判定部の判定結果を不許可に変更し、
前記動作指令部は、前記判定変更部の不許可の変更に従って前記印字部に対して停止動作を指示する、請求項１記載の画像形成装置。
【請求項１４】
ジョブに含まれる原稿画像を用紙に印字するステップと、
給紙される用紙種別を検知するステップと、
ユーザ毎に使用可能な用紙種別を設定するステップと、
前記ジョブ中に前記用紙種別検知部で検知した用紙種別の切り替わりを検知するステップと、
前記ジョブ中に前記用紙種別の切り替わりを検知した際に、設定された用紙種別の設定情報に基づいて印字処理の許可／不許可を判定するステップと、
判定結果に対して、前記ジョブの情報に基づいて判定を変更するステップと、
変更結果に基づいて印字／停止動作を指示するステップとを含む、画像形成装置の制御方法。
【発明の詳細な説明】
【技術分野】
【０００１】
本開示は、複数の種別の用紙を印刷する画像形成装置に関する。
【背景技術】
【０００２】
ＭＦＰ（ＭＦＰ：Multi-Functional Peripheral）で使用できる紙種は多種多様である。用紙一枚あたりの値段も紙種ごとに異なる。ＭＦＰの仕様環境によってはユーザや部門ごとに使用できる紙に制限を設けて運用する。
【０００３】
しかしながら、一般的な用紙制限は、使用者がパネルで設定した用紙種別情報と、ユーザが使用できる用紙種別情報とを比較し判断する。使用者がパネル上の設定を、使用許可されている用紙種別とすれば、用紙の使用制限を容易に回避することが可能である。
【０００４】
特許文献１は、この点に関し、あらかじめユーザやＰＣ毎に使用できる紙情報を設定しする。印刷用紙には、ＲＦＩＤタグを埋め込み、ＲＦＩＤタグ内にある用紙情報を読み取る。印字開始を指示したユーザが対象用紙を使用できない場合、パネルに警告を出して印刷をさせない方式を提案している。
【０００５】
しかしながら、特許文献１では、用紙種別の判断のためにはＲＦＩＤタグを使用する。ＲＦＩＤタグの埋め込みがなされていない一般的な用紙の判断は行えないという課題がある。
【０００６】
特許文献２には、一般的な用紙種別を判別する手法の一例が開示されている。ＭＦＰ内部の搬送経路中に設けられた光学センサや超音波センサ等で構成されるメディア検知センサによって取得した記録材の光の透過率、反射率、厚み、表面状態等の情報により、用紙種別を判別する。
【０００７】
当該技術を用いて、自動で用紙種別を判断(オートメディア検知機能)する。特許文献２には、ユーザの設定を省略して、自動で紙の特性に適した印刷制御パラメータにより印刷を行う機能の提案がされている。
【先行技術文献】
【特許文献】
【０００８】
【特許文献１】特開２００７−９８５９６号公報
【特許文献２】特開２０１０−２１７７４２号公報
【発明の概要】
【発明が解決しようとする課題】
【０００９】
一方、一般的な用紙を使用して印刷を行う環境下において、オートメディア検知機能を用いて用紙種別を行いつつ、ユーザの使用用紙の制限を行う場合、用紙１枚１枚ごとに搬送しながら用紙種別を判定する。ユーザがその用紙を使用できるかの判定タイミングは既に給紙した後となる。対象のユーザが使用できる用紙が紙切れ等の理由により無くなり、他種別の用紙で代替しようとした際、給紙して初めて使用が制限されている用紙と分かる。
【００１０】
この点で、一律に使用制限されている用紙の使用は不許可として、印字停止としてしまうと、給紙済みの用紙は無駄となる。
【００１１】
この場合、ＭＦＰの使用環境、印刷状況によって、理想とするＭＦＰの印字挙動は異なることが考えられる。
【００１２】
例えば、多種別の用紙で代替した際に使用不許可の用紙を使用したとしても、給紙済みの用紙で印字が完了するのであれば、再印刷の手間・コストを嫌い、使用用紙の制限を解除して印字を継続したいというＭＦＰの使用環境もある。
【００１３】
また、多種別の用紙で代替した際に使用許可の用紙を使用する場合であっても、顧客に提示する重要書類を印刷する場合には、一つの印刷物に対して種別が異なる複数の用紙種別が混入することを避けたいというＭＦＰの使用環境もある。
【００１４】
本開示は、上述のような背景に鑑みてなされたものであって、一般的な用紙を使用して印刷を行う環境下において、オートメディア検知機能を用いて用紙種別を行いつつ、ユーザの使用用紙の制限を行う場合、使用用紙の種別の切り替わりを見つけた際には印字を継続するか、停止するかを、使用環境に合わせ設定可能な画像形成装置および画像形成装置の制御方法を提供することを目的とする。
【課題を解決するための手段】
【００１５】
ある実施の形態に従うと、画像形成装置は、ジョブに含まれる原稿画像を用紙に印字する印字部と、印字部に給紙される用紙種別を検知する用紙種別検知部と、ユーザ毎に使用可能な用紙種別を設定する用紙設定部と、ジョブ中に用紙種別検知部で検知した用紙種別の切り替わりを検知する切替検知部と、ジョブ中に切替検知部により用紙種別の切り替わりを検知した際に、用紙設定部の設定情報に基づいて印字部の印字処理の許可／不許可を判定する判定部と、判定部の判定結果に対して、ジョブの情報に基づいて判定部の判定を変更する判定変更部と、判定変更部の変更結果に基づいて印字部に対して印字／停止動作を指示する動作指令部とを備える。
【００１６】
好ましくは、判定変更部は、判定部の判定結果に対応する変更判定テーブルを設定するためのテーブル設定部と、変更判定テーブルの情報と、ジョブの情報とに基づいて判定部の判定の変更の可否を判断する条件判定部とを含む。
【００１７】
好ましくは、テーブル設定部は、判定部の判定結果が許可判定である場合に対応する第１変更判定テーブルおよび判定部の判定結果が不許可判定である場合に対応する第２変更判定テーブルの少なくとも一方を設定する。
【００１８】
好ましくは、変更判定テーブルは、判定部の判定を変更する複数の条件を含む。複数の条件のそれぞれには、条件判定部による判断の順序の優先順位が割り当てられる。
【００１９】
好ましくは、各条件は、予め登録された複数の条件情報の中から選択受け付け可能に設けられる。
【００２０】
好ましくは、判定変更部は、判定部の判定結果が不許可判定である場合には、ジョブが所定情報を含む場合には、判定部の判定結果を許可に変更し、動作指令部は、判定変更部の許可の変更に従って印字部に対して印字動作を指示する。
【００２１】
好ましくは、判定変更部は、判定部の判定結果が不許可判定である場合には、ジョブが時間的制約に関連する原稿画像を含む場合には、判定部の判定結果を許可に変更する。
【００２２】
好ましくは、判定変更部は、判定部の判定結果が不許可判定である場合には、ジョブの進捗状況が所定の割合以上である場合には、判定部の判定結果を許可に変更する。
【００２３】
好ましくは、判定変更部は、判定部の判定結果が不許可判定である場合には、ジョブの受付時刻が所定期間内である場合には、判定部の判定結果を許可に変更する。
【００２４】
好ましくは、判定変更部は、判定部の判定結果が許可判定である場合には、ジョブが所定情報を含む場合には、判定部の判定結果を不許可に変更し、動作指令部は、判定変更部の不許可の変更に従って印字部に対して停止動作を指示する。
【００２５】
好ましくは、判定変更部は、判定部の判定結果が許可判定である場合には、ジョブが特殊用紙に印字する設定情報を含む場合には、判定部の判定結果を不許可に変更する。
【００２６】
好ましくは、判定変更部は、判定部の判定結果が許可判定である場合には、ジョブが外部に提出される資料に関する原稿画像である場合には、判定部の判定結果を不許可に変更する。
【００２７】
好ましくは、判定変更部は、判定部の判定結果が許可判定である場合には、ジョブの進捗状況が所定の割合以下である場合には、判定部の判定結果を不許可に変更し、動作指令部は、判定変更部の不許可の変更に従って印字部に対して停止動作を指示する。
【００２８】
ある実施の形態に従うと、画像形成装置の制御方法は、ジョブに含まれる原稿画像を用紙に印字するステップと、給紙される用紙種別を検知するステップと、ユーザ毎に使用可能な用紙種別を設定するステップと、ジョブ中に用紙種別検知部で検知した用紙種別の切り替わりを検知するステップと、ジョブ中に用紙種別の切り替わりを検知した際に、設定された用紙種別の設定情報に基づいて印字処理の許可／不許可を判定するステップと、判定結果に対して、ジョブの情報に基づいて判定を変更するステップと、変更結果に基づいて印字／停止動作を指示するステップとを含む。
【００２９】
この発明の上記および他の目的、特徴、局面および利点は、添付の図面と関連して理解されるこの発明に関する次の詳細な説明から明らかとなるであろう。
【図面の簡単な説明】
【００３０】
【図１】画像形成システム１の概要を説明する図である。
【図２】画像形成装置１００の構成を説明する図である。
【図３】画像形成装置１００の主要なハードウェア構成を示すブロック図である。
【図４】画像形成装置１００の操作パネル１０５を説明する図である。
【図５】実施形態に従う用紙種別検知装置４２の構成を説明する図である。
【図６】実施形態に従う用紙の透過率について説明する図である。
【図７】実施形態に基づく制御装置１０１の機能ブロックを説明する図である。
【図８】実施形態に基づく用紙種別テーブルを説明する図である。
【図９】実施形態に従う用紙種別の切り替わりを検知した場合の使用許可判定テーブルについて説明する図である。
【図１０】実施形態に従う用紙種別の切り替わりを検知した場合の使用不許可テーブルについて説明する図である。
【図１１】実施形態に従うテーブル条件を設定する追加設定画面（その１）について説明する図である。
【図１２】実施形態に従うテーブル条件を設定する追加設定画面（その２）について説明する図である。
【図１３】実施形態に従う制御装置１０１の処理フローを説明するフロー図である。
【発明を実施するための形態】
【００３１】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。
【００３２】
以下の実施形態では、画像形成装置としては、たとえばＭＦＰ、プリンター、複写機、またはファクシミリなどが挙げられる。
【００３３】
［１．画像形成システム１の構成］
図１は、画像形成システム１の概要を説明する図である。
【００３４】
図１を参照して、画像形成システム１は、画像形成装置１００と、ネットワーク２と、端末５とを含む。
【００３５】
画像形成装置１００は、端末５とネットワーク２を介して通信接続可能に接続される。画像形成装置１００は、端末５からの印刷ジョブ等を受信して印字処理を実行することが可能である。なお、本例においては、端末５から送信される印刷ジョブを実行する場合について説明するが、特にこれに限られず画像形成装置１００を直接操作して設定された印刷ジョブを実行するようにする場合にも同様に適用可能である。
【００３６】
画像形成装置１００は、カラープリンターとしての画像形成装置１００が示されている。以下では、カラープリンターとしての画像形成装置１００について説明するが、画像形成装置１００は、カラープリンターに限定されない。たとえば、画像形成装置１００は、モノクロプリンターであってもよいし、モノクロプリンターまたはカラープリンターとファクシミリとの複合機（所謂ＭＦＰ（Multi  Functional  Peripheral））であってもよい。
【００３７】
画像形成装置１００は、画像読取部としてのスキャナー２０と、プリンター２５とを備える。スキャナー２０には、ＡＤＦ（Auto  Document  Feeder）２４が設けられている。
【００３８】
画像形成装置１００は、操作パネル１０５を備える。
図２は、画像形成装置１００の構成を説明する図である。
【００３９】
図２を参照して、画像形成装置１００の上部には、スキャナー２０が設けられている。スキャナー２０は、カバー２１と、用紙台２２と、トレー２３と、ＡＤＦ２４とを含む。カバー２１の一端は、用紙台２２に固定されており、カバー２１は、当該一端を支点として開閉可能に構成されている。操作者は、カバー２１を開くことで、原稿を用紙台２２にセットすることができる。画像形成装置１００は、原稿が用紙台２２にセットされた状態でスキャン指示を受け付けると、用紙台２２にセットされた原稿のスキャンを開始する。また、画像形成装置１００は、原稿がトレー２３にセットされた状態でスキャン指示を受け付けると、ＡＤＦ２４によって１枚ずつ自動的に原稿を読み取る。
【００４０】
プリンター２５は、画像形成部９０Ｙ，９０Ｍ，９０Ｃ，９０Ｋと、ＩＤＣ（Image  Density  Control）センサー１９と、転写ベルト３０と、一次転写ローラー３１と、転写駆動機３２と、二次転写ローラー３３と、カセット３７Ａ〜３７Ｃと、従動ローラー３８と、駆動ローラー３９と、タイミングローラー４０と、クリーニングユニット４３と、定着器７０と、用紙種別検知装置４２とを備える。
【００４１】
画像形成部９０Ｙ，９０Ｍ，９０Ｃ，９０Ｋは、転写ベルト３０に沿って順に並べられている。画像形成部９０Ｙは、トナーボトル１５Ｙからトナーの供給を受けてイエロー（Ｙ）のトナー像を形成する。画像形成部９０Ｍは、トナーボトル１５Ｍからトナーの供給を受けてマゼンタ（Ｍ）のトナー像を形成する。画像形成部９０Ｃは、トナーボトル１５Ｃからトナーの供給を受けてシアン（Ｃ）のトナー像を形成する。画像形成部９０Ｋは、トナーボトル１５Ｋからトナーの供給を受けてブラック（ＢＫ）のトナー像を形成する。
【００４２】
画像形成部９０Ｙ，９０Ｍ，９０Ｃ，９０Ｋは、それぞれ、転写ベルト３０に沿って転写ベルト３０の回転方向の順に配置されている。画像形成部９０Ｙ，９０Ｍ，９０Ｃ，９０Ｋはそれぞれ、回転可能に構成されている感光体１０と、帯電装置１１と、露光装置１３と、現像器１４と、クリーニングユニット１７と、トナーセンサ１８とを備える。
【００４３】
画像形成部９０Ｙ，９０Ｍ，９０Ｃ，９０Ｋがそれぞれ、上述したように作動した後に、転写駆動機３２の転写によって、イエロー（Ｙ）のトナー像、マゼンタ（Ｍ）のトナー像、シアン（Ｃ）のトナー像、およびブラック（ＢＫ）のトナー像が順に重ねられて感光体１０から転写ベルト３０に転写される。これにより、カラーのトナー像が転写ベルト３０上に形成される。
【００４４】
ＩＤＣセンサー１９は、転写ベルト３０上に形成されるトナー像３５の濃度を検知する。典型的には、ＩＤＣセンサー１９は、反射型フォトセンサーからなる光強度センサーであり、転写ベルト３０の表面からの反射光強度を検知する。
【００４５】
転写ベルト３０は、従動ローラー３８と駆動ローラー３９とに張架されている。駆動ローラー３９はモーター（図示しない）に接続されている。当該モーターを制御することにより、駆動ローラー３９は回転する。転写ベルト３０および従動ローラー３８は、駆動ローラー３９に連動して回転する。これにより、転写ベルト３０上のトナー像３５が二次転写ローラー３３に送られる。
【００４６】
カセット３７Ａ〜３７Ｃのそれぞれには、異なる大きさの用紙がセットされる。用紙は、記録媒体の一例である。用紙は、カセット３７Ａ〜３７Ｃのいずれかから１枚ずつタイミングローラー４０によって搬送経路４１に沿って二次転写ローラー３３に送られる。用紙が送り出されるタイミングに合わせて、二次転写ローラー３３に印加する転写電圧を制御する。
【００４７】
二次転写ローラー３３は、トナー像３５の帯電極性と逆極性の転写電圧を搬送中の用紙に印加する。その結果、トナー像３５は、転写ベルト３０から二次転写ローラー３３に引き付けられ、転写ベルト３０上のトナー像３５が転写される。二次転写ローラー３３への用紙の搬送タイミングは、転写ベルト３０上のトナー像３５の位置に合わせてタイミングローラー４０によって制御される。その結果、転写ベルト３０上のトナー像３５は、用紙の適切な位置に転写される。
【００４８】
定着器７０は、定着器７０を通過する用紙を加圧および加熱する。これにより、トナー像は用紙に定着する。その後、用紙は、トレー４９に排紙される。
【００４９】
クリーニングユニット４３は、転写ベルト３０から用紙へのトナー像の転写後に転写ベルト３０の表面に残留するトナーを回収する。回収されたトナーは、搬送スクリュー（図示しない）で搬送され、廃トナー容器（図示しない）に貯められる。
【００５０】
用紙種別検知装置４２は、カセット３７Ａ〜３７Ｃのそれぞれから給紙された複数の用紙の種別を検知する。用紙種別検知装置４２は、検知結果を制御装置１０１に出力する。
【００５１】
［２．ハードウェア構成］
図３は、画像形成装置１００の主要なハードウェア構成を示すブロック図である。
【００５２】
図３を参照して、画像形成装置１００のハードウェア構成の一例について説明する。
画像形成装置１００は、スキャナー２０およびプリンター２５に加え、制御装置１０１と、ＲＯＭ（Read  Only  Memory）１０２と、ＲＡＭ（Random  Access  Memory）１０３と、ネットワークインターフェイス１０４と、操作パネル１０５と、記憶装置１１０とを含む。
【００５３】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００５４】
制御装置１０１は、画像形成装置１００の制御パラメーターを調整するためのプログラム１１２などの各種プログラムを実行することで画像形成装置１００の動作を制御する。
【００５５】
制御装置１０１は、プログラム１１２の実行命令を受け付けたことに基づいて、記憶装置１１０からＲＡＭ１０３にプログラム１１２を読み出す。ＲＡＭ１０３は、ワーキングメモリとして機能し、プログラム１１２の実行に必要な各種データを一時的に格納する。
【００５６】
ネットワークインターフェイス１０４には、アンテナ（図示しない）などが接続される。画像形成装置１００は、アンテナを介して、外部の通信機器との間でデータをやり取りする。外部の通信機器は、たとえば、スマートフォンなどの携帯通信端末、サーバーなどを含む。画像形成装置１００は、プログラム１１２をアンテナを介してサーバーからダウンロードできるように構成されてもよい。
【００５７】
操作パネル１０５は、ディスプレイとタッチパネルとで構成されている。ディスプレイおよびタッチパネルは互いに重ねられており、画像形成装置１００に対する操作をタッチ操作で受け付ける。一例として、操作パネル１０５は、各種の設定の操作などを受け付ける。
【００５８】
記憶装置１１０は、たとえば、ハードディスク、ＳＳＤ（Solid State Drive）その他の記憶装置である。記憶装置１１０は、内蔵式、外付け式のいずれであってもよい。記憶装置１１０は、本実施形態に従うプログラム１１２などを格納する。ただし、プログラム１１２の格納場所は記憶装置１１０に限定されず、制御装置１０１の記憶領域（たとえば、キャッシュなど）、ＲＯＭ１０２、ＲＡＭ１０３、外部機器（たとえば、サーバー）などに格納されていてもよい。
【００５９】
なお、本例における各種テーブル（用紙種別テーブル、使用許可判定テーブル、使用不許可判定テーブル）は、記憶装置１１０に格納されるようにしても良い。
【００６０】
プログラム１１２は、単体のプログラムとしてではなく、任意のプログラムの一部に組み込まれて提供されてもよい。この場合、本実施形態に従う制御処理は、任意のプログラムと協働して実現される。このような一部のモジュールを含まないプログラムであっても、本実施形態に従うプログラム１１２の趣旨を逸脱するものではない。
【００６１】
さらに、プログラム１１２によって提供される機能の一部または全部は、専用のハードウェアによって実現されてもよい。さらに、少なくとも１つのサーバーがプログラム１１２の処理の一部を実行する所謂クラウドサービスのような形態で画像形成装置１００が構成されてもよい。
【００６２】
図４は、画像形成装置１００の操作パネル１０５を説明する図である。
図４を参照して、操作パネル１０５は、スタートキー１３０と、ストップキー１３２と、パネルリセットキー１３４と、ログイン／ログアウトボタン１２８と、操作ディスプレイ１２０と、テーブル設定ボタン１２５とを含む。
【００６３】
スタートキー１３０は、コピー／スキャン等の動作を開始させるために用いられる。ストップキー１３２は、コピー／スキャン動作の停止を指示するために用いられる。パネルリセットキー１３４は、設定されているモードおよびジョブを破棄するために用いられる。ログイン／ログアウトボタン１２８は、操作パネル１０５を操作する際のログイン入力あるいはログアウト入力するために用いられる。
【００６４】
テーブル設定ボタン１２５は、各種のテーブルを設定するために用いられる。具体的には、管理者は、テーブル設定ボタン１２５を選択して、一例として、ユーザが利用可能な用紙の種別に関する情報を設定する用紙種別テーブル、用紙の切り替わりの際に、切り替わった用紙が使用許可の用紙である場合に、使用許可の判定の変更の可否を判断する条件を設定する使用許可判定テーブル、用紙の切り替わりの際に、切り替わった用紙が使用不許可である場合に、使用不許可の判定の変更の可否を判断する条件を設定する使用不許可判定テーブルを設定する。
【００６５】
また、操作ディスプレイ１２０は、各種モードの表示や設定等を実行するためにタッチパネルが取付けられている。
【００６６】
このタッチパネルによって、操作者は操作ディスプレイ１２０内の表示内容に従った各種設定を行なうことができる。また、タッチパネルにおける設定画面領域には、通常はコピー動作やスキャン動作を実行する際に行なう基本的／応用的な設定のためのボタンが配置されている。各ボタンを押下するとその詳細設定を行なうための階層画面が表示される。
【００６７】
本例においては、一例として、コピー動作を実行するための各種詳細設定領域が示されており、当該領域内において、倍率を調整するためのアイコン１４０、濃度を調整するためのアイコン１４２、画像調整のためのアイコン１４４、用紙を設定するためのアイコン１４６がそれぞれ設けられている。
【００６８】
本例においては、コピー動作を実行する場合の各種詳細設定のためのアイコンについて説明したが、スキャン動作についても同様の詳細設定領域が表示される。
【００６９】
また、左側のジョブ情報画面領域にはその時点で画像形成装置１００に投入されているジョブ情報が表示される。表示は実行されるべきジョブの順序で並んでいる。特定のジョブに対して消去変更等の操作を行なう場合は、ジョブ操作ボタンを選択した後、操作対象となるジョブ番号ボタンを押下する。それらの操作によってジョブ操作画面が表示され、特定のジョブに対する操作が可能となる。
【００７０】
コピー（Copy）キー１２２、およびスキャン（Scan）キー１２４は、画像形成装置１００をコピー／スキャナのいずれのモードで動作させるかを設定するための選択キーである。
【００７１】
コピーキー１２２を押下した場合、画像形成装置１００はコピー機として使用可能となる。この状態ではスキャナ動作は実行することはできない。
【００７２】
また、スキャンキー１２４を押下した場合、画像形成装置１００はスキャナとなる。この状態ではコピー動作を実行することはできない。
【００７３】
なお、コピーキー１２２とスキャンキー１２４とは排他的動作となり、一方を選択すると自動的に他方は非選択状態となる。
【００７４】
また、操作ディスプレイ１２０には、設定確認ボタン１２６が設けられている。
設定確認ボタン１２６は、各種の設定に従うプレビュー画像を表示するためのボタンである。
【００７５】
［３．用紙種別検知］
実施形態に従う用紙種別検知装置４２は、給紙される用紙の種別を検知する。
【００７６】
図５は、実施形態に従う用紙種別検知装置４２の構成を説明する図である。
図５を参照して、用紙種別検知装置４２は、発光部４２Ａと、受光部４２Ｂと、ＲＦＩＤタグ読取装置４２Ｃとを含む。
【００７７】
発光部４２Ａは、給紙される用紙に対して所定の波長の光を投光する。
受光部４２Ｂは、発光部４２Ａから投光される光を受光する。受光部４２Ｂで受光される光の透過率に基づいて給紙される用紙を判別する。
【００７８】
ＲＦＩＤタグ読取装置４２Ｃは、給紙される用紙（例えば特殊紙）に設けられているＲＦＩＤタグを読み取ることが可能な装置である。
【００７９】
図６は、実施形態に従う用紙の透過率について説明する図である。
図６を参照して、本例においては、３種類（普通紙、フォト光沢紙、印画紙）の用紙の透過率が示されている。
【００８０】
透過率の高い順番に普通紙、フォト光沢紙、印画紙の順番になっている。
透過率を検知することにより用紙の種別を判別することが可能である。
【００８１】
用紙種別検知装置４２は、透過率の検知に従って普通紙、フォト光沢紙、印画紙を判別し、用紙に設けられたＲＦＩＤタグを読み取ることにより特殊紙を判別することが可能である。用紙種別検知装置４２は、検知した用紙種別を制御装置１０１に出力する。
【００８２】
なお、用紙種別検知装置４２の構成は一例であり、他の方式に従って用紙の種別を判別するようにしてもよい。
【００８３】
［４．機能ブロック］
図７は、実施形態に基づく制御装置１０１の機能ブロックを説明する図である。
【００８４】
図７を参照して、制御装置１０１は、用紙設定部１５１と、切替検知部１５２と、判定部１５４と、判定変更部１５６と、動作指令部１５８とを含む。
【００８５】
用紙設定部１５１は、ユーザ毎に印刷ジョブとして使用可能な用紙種別テーブルを設定する。用紙種別テーブルは、記憶装置１１０に格納される。
【００８６】
切替検知部１５２は、用紙種別検知装置４２からの検知結果に基づいて印刷ジョブの実行中の用紙の種別の切り替わりを検知する。例えば、切替検知部１５２は、用紙種別検知装置４２からの検知結果に基づいて給紙される用紙が普通紙からフォト光沢紙に用紙の種別が切り替わったことを検知する。
【００８７】
判定部１５４は、印刷ジョブの実行中に用紙種別の切り替わりを検知した際に、記憶装置１１０に格納されている用紙種別テーブルの設定情報に基づいて印字処理の許可／不許可を判定する。
【００８８】
判定変更部１５６は、判定部１５４の判定結果に対して、印刷ジョブの情報に基づいて判定部１５４の判定を変更する。
【００８９】
動作指令部１５８は、判定変更部１５６の変更結果に基づいてプリンター２５に対して印字／停止動作を指示する。
【００９０】
判定変更部１５６は、テーブル設定部１５６Ａと、条件判定部１５６Ｂとを含む。
テーブル設定部１５６Ａは、判定部１５４の判定結果に対応する変更判定テーブル（使用許可判定テーブル、使用不許可判定テーブル）を設定する。変更判定テーブルは、記憶装置１１０に格納される。
【００９１】
条件判定部１５６Ｂは、記憶装置１１０に格納される変更判定テーブルの情報と、印刷ジョブの情報とに基づいて判定部１５４の判定の変更の可否を判断する。
【００９２】
［５．各種テーブル］
図８は、実施形態に基づく用紙種別テーブルを説明する図である。
【００９３】
図８を参照して、用紙設定部１５１は、各ユーザＡ、Ｂ、Ｃ、Ｄにそれぞれ対応して設けられる使用可能な用紙の種別を示す情報である用紙種別テーブルを設定する。
【００９４】
具体的には、一例として普通紙は、ユーザＡ、Ｂ、Ｃ、Ｄについて使用可能に設定されている。
【００９５】
フォト光沢紙は、ユーザＡ、Ｂ、Ｄについて使用可能に設定されている。
印画紙は、ユーザＡ、Ｄについて使用可能に設定されている。
【００９６】
特殊紙は、ユーザＤについて使用可能に設定されている。
管理者は、テーブル設定ボタン１２５を操作して、ユーザ毎に各用紙の種別に関して使用可能か否かを設定する。本例においては、管理者は、各ユーザについて、使用可を示す「〇」、使用不許可を示す「Ｘ」をそれぞれ設定することにより、使用可能な用紙の種別を設定する。
【００９７】
実施形態においては、用紙種別検知装置４２は、給紙された用紙の種別を検知する。用紙種別検知装置４２は、制御装置１０１に検知結果を出力する。
【００９８】
制御装置１０１は、用紙種別検知装置４２から出力される検知結果に従って給紙された用紙が使用許可の用紙か、使用不許可の用紙か否かを判定する。
【００９９】
具体的には、制御装置１０１は、図７で説明されている用紙種別テーブルを用いて、使用許可の用紙か、使用不許可の用紙か否かを判定する。
【０１００】
例えば、ユーザＡの印刷ジョブにおいて、用紙種別を普通紙で設定した場合に、印字を開始した後、用紙が紙切れとなる場合について考える。ユーザＡの印刷ジョブの印字を開始した後、用紙が紙切れとなった場合には、用紙を補給して印字を再開する。その際、例えば、用紙を普通紙からフォト光沢紙に変更する可能性がある。
【０１０１】
制御装置１０１は、用紙種別検知装置４２からの検知結果に基づいて用紙の種別が変更されたか否かを判定する。
【０１０２】
制御装置１０１は、用紙の種別が変更されたことを検知した場合には、変更された用紙の種別が使用許可の用紙か、使用不許可の用紙かを判定する。
【０１０３】
制御装置１０１は、使用許可の用紙である場合には、使用許可判定テーブルに基づいて、当該使用許可の判定の変更の可否を判断する。制御装置１０１は、使用不許可の用紙である場合には、使用不許可判定テーブルに基づいて、当該使用不許可の判定の変更の可否を判断する。
【０１０４】
制御装置１０１は、必要に応じて判定を変更し、用紙に対する印字動作の継続あるいは、印字動作の停止を指示する。
【０１０５】
図９は、実施形態に従う用紙種別の切り替わりを検知した場合の使用許可判定テーブルについて説明する図である。
【０１０６】
図９を参照して、テーブル設定部１５６Ａは、判定部１５４の判定結果に対応する変更判定テーブルとして使用許可判定テーブルを設定する。
【０１０７】
条件判定部１５６Ｂは、使用許可判定テーブルに基づいて判定部１５４の判定結果の変更の可否を判定する。
【０１０８】
使用許可判定テーブルは、用紙の種別が変更されたことを検知した場合に、変更された用紙の種別が使用許可の用紙である場合に用いられるテーブルである。用紙の種別が変更されたことを検知した場合に、変更された用紙の種別が使用許可の用紙と判定された場合に判定の変更の可否を判断する条件が示されている。
【０１０９】
デフォルト設定としては、印字許可に設定されている。
追加設定としては、複数の条件（一例として３つの条件）が設けられている。
【０１１０】
各条件には、判断する際の優先順位がそれぞれ割り当てられている。
優先順位「１」として、用紙種別の切り替わり後の用紙が「特殊紙」である場合には、印字を停止（禁止）する。用紙種別が普通紙、フォト光沢紙、印画紙から特殊紙に切り替わる場合には質感が大きく異なるため許可の判定を不許可に変更する。すなわち、印字を停止する。
【０１１１】
優先順位「２」として、印刷ジョブのドキュメントタイトルに「提案資料」の文言を含む場合には、印字を停止する。印刷ジョブのドキュメントタイトルに「提案資料」の文言が含まれている場合には、外部に提出される資料である可能性が高い。当該文言が含まれている印刷ジョブについては、質感の異なる用紙を使用することは望ましくないため許可の判定を不許可に変更する。すなわち、印字を停止する。
【０１１２】
優先順位「３」として、印刷ジョブの進捗が５％未満である場合には、印字を停止する。印刷ジョブの進捗が５％未満の場合には、印刷ジョブのやり直しを優先することが好ましいため許可の判定を不許可に変更する。すなわち、印字を停止する。
【０１１３】
図１０は、実施形態に従う用紙種別の切り替わりを検知した場合の使用不許可テーブルについて説明する図である。
【０１１４】
図１０を参照して、テーブル設定部１５６Ａは、判定部１５４の判定結果に対応する変更判定テーブルとして使用不許可判定テーブルを設定する。
【０１１５】
条件判定部１５６Ｂは、使用許可判定テーブルに基づいて判定部１５４の判定結果の変更の可否を判定する。
【０１１６】
使用不許可判定テーブルは、用紙の種別が変更されたことを検知した場合に、変更された用紙の種別が使用不許可の用紙である場合に用いられるテーブルである。用紙の種別が変更されたことを検知した場合に、変更された用紙の種別が使用不許可の用紙と判定された場合に判定の変更の可否を判断する条件が示されている。
【０１１７】
デフォルト設定としては、印字停止に設定されている。
追加設定としては、複数の条件（一例として５つの条件）が設けられている。
【０１１８】
各条件には、判断する際の優先順位がそれぞれ割り当てられている。
優先順位「１」として、用紙種別の切り替わり後の用紙が「特殊紙」である場合には、印字を停止する。用紙種別が普通紙、フォト光沢紙、印画紙から特殊紙に切り替わる場合には質感が大きく異なるため印字を停止する。この場合には、不許可の判定を維持する。
【０１１９】
優先順位「２」として、印刷ジョブのドキュメントタイトルに「至急」の文言を含む場合には、印字を継続する。印刷ジョブの情報として、ドキュメントタイトルに「至急」の文言が含まれている場合には、印刷ジョブの完了を優先するために不許可の判定を許可に変更する。すなわち、印字を継続する。「至急」により時間的制約が推定されるため当該文言が含まれている印刷ジョブについては、印字を停止するのではなく印字を継続することにより、ユーザの利便性を向上させることが可能である。
【０１２０】
優先順位「３」として、印刷ジョブのドキュメントタイトルに「提案資料」の文言を含む場合には、印字を停止する。印刷ジョブの情報として、ドキュメントタイトルに「提案資料」の文言が含まれている場合には、外部に提出される資料である可能性が高い。当該文言が含まれている印刷ジョブについては、質感の異なる用紙を使用することは望ましくないため不許可の判定を維持する。すなわち、印字を停止する。
【０１２１】
優先順位「４」として、印刷ジョブの進捗が９０％以上である場合には、印字を継続する。印刷ジョブの進捗が９０％以上の場合には、印刷ジョブの完了を優先することが望ましい。本例においては、不許可の判定を許可に変更する。すなわち、印字を継続する。
【０１２２】
優先順位「５」として、使用時間が「２０：００〜翌日８：００」の場合には、印字を継続する。画像形成装置１００の使用時間（ジョブの受付時間）が２０時から翌日８時までの間の所定時間である場合には、ユーザの利便性を考慮して印字を継続することが望ましい。本例においては、不許可の判定を許可に変更する。すなわち、印字を継続する。
【０１２３】
図１１は、実施形態に従うテーブル条件を設定する追加設定画面（その１）について説明する図である。
【０１２４】
図１１を参照して、テーブル設定部１５６Ａは、管理者によるテーブル設定ボタン１２５の操作に従って追加設定画面を表示する。
【０１２５】
当該追加設定画面において、優先順位、用紙種別判断結果、個別条件、条件値、印字挙動を設定する項目が表示されている。
【０１２６】
優先順位は、条件の優先順位を設定する項目である。本例においては、「２」が設定されている。
【０１２７】
用紙種別判断結果は、用紙の種別が変更されたことを検知した場合に、変更された用紙の種別が使用許可の用紙である場合の条件か、あるいは変更された用紙の種別が使用不許可の用紙である場合の条件かを設定する項目である。本例においては、変更された用紙の種別が使用不許可の用紙である場合の条件として、「使用不許可用紙の使用」が設定される。これにより、使用不許可判定テーブルに登録される。
【０１２８】
個別条件は、具体的な条件の内容を設定する項目である。本例においては、「ドキュメントタイトルに条件値の文言を含む」が設定される。
【０１２９】
条件値は、条件の値を設定する項目である。本例においては、「至急」が設定される。
印字挙動は、条件が満たされる場合に、判定を変更あるいは維持することにより印字の継続あるいは印字の禁止を設定する項目である。
【０１３０】
したがって、この場合、変更された用紙の種別が使用不許可の用紙である場合の使用不許可判定テーブルが設定される。使用不許可判定テーブルにおいて、ドキュメントタイトルに至急の文言を含む場合の条件が設定され、当該条件が満たされる場合に使用不許可の判定が許可に変更されて印字が継続される。
【０１３１】
当該処理を繰り返すことにより使用許可判定テーブルおよび使用不許可判定テーブルの各種の条件が設定される。
【０１３２】
図１２は実施形態に従うテーブル条件を設定する追加設定画面（その２）について説明する図である。
【０１３３】
図１２を参照して、テーブル設定部１５６Ａは、管理者によるテーブル設定ボタン１２５の操作に従って追加設定画面を表示する。
【０１３４】
当該追加設定画面において、優先順位、用紙種別判断結果、個別条件、条件値、印字挙動を設定する項目が表示されている。
【０１３５】
各項目は、予め選択可能な条件項目がプルダウン形式により設定することが可能に設けられている。これにより設定操作が容易となる。
【０１３６】
当該操作を繰り返すことにより図９および図１０等のテーブルの設定を簡易に実行することが可能である。
【０１３７】
（処理フロー）
図１３は、実施形態に従う制御装置１０１の処理フローを説明するフロー図である。
【０１３８】
当該処理フローを実行するプログラムは、記憶装置１１０に格納されている。
図１３を参照して、制御装置１０１は、用紙種別の切り替わりが有るか否かを判定する（ステップＳ２）。具体的には、切替検知部１５２は、用紙種別検知装置４２からの情報に基づいて用紙種別の切り替わりが有るか否かを判定する。例えば、切替検知部１５２は、普通紙からフォト光沢紙への用紙の種別の変更があるか否かを判定する。
【０１３９】
次に、制御装置１０１は、用紙種別の切り替わりが無いと判定した場合（ステップＳ２においてＮＯ）には、ステップＳ２を維持する。
【０１４０】
一方、制御装置１０１は、用紙種別の切り替わりが有ると判定した場合（ステップＳ２においてＹＥＳ）には、切り替わった用紙が、使用許可か使用不許可かを判定する（ステップＳ６）。判定部１５４は、印刷ジョブを実行するユーザに関して、用紙種別テーブルに基づいて用紙種別検知装置４２からの情報に従って当該切り替わった用紙の使用許可あるいは使用不許可を判定する。
【０１４１】
ステップＳ６において、制御装置１０１は、用紙の使用が許可判定であると判定した場合（ステップＳ６においてＹＥＳ）には、使用許可判定テーブルに基づいて判定の変更の可否を判定する（ステップＳ８）。条件判定部１５６Ｂは、図９で説明した使用許可判定テーブルに基づいて判定部１５４により判定された用紙の許可の判定を変更するべきか否かを判定する。
【０１４２】
ステップＳ８において、制御装置１０１は、使用許可判定テーブルに基づいて判定の変更をすると判定した場合（ステップＳ８においてＹＥＳ）には、印字を禁止する（ステップＳ１０）。条件判定部１５６Ｂは、判定部１５４の判定を変更すると判定した場合には、用紙の使用を不許可判定に変更して、判定結果を動作指令部１５８に出力する。動作指令部１５８は、変更された判定結果に従って印字動作を中止するようにプリンター２５に指示する。
【０１４３】
そして、処理を終了する（エンド）。
一方、ステップＳ８において、制御装置１０１は、使用許可判定テーブルに基づいて判定の変更をしないと判定した場合（ステップＳ８においてＮＯ）には、印字を継続する（ステップＳ１２）。条件判定部１５６Ｂは、判定部１５４の判定を変更しないと判定した場合には、判定部１５４の判定結果を動作指令部１５８に出力する。動作指令部１５８は、判定結果に従って印字動作を継続するようにプリンター２５に指示する。
【０１４４】
そして、処理を終了する（エンド）。
一方、ステップＳ６において、制御装置１０１は、用紙の使用が許可判定でないと判定した場合（不許可判定である場合）（ステップＳ６においてＮＯ）には、使用不許可判定テーブルに基づいて判定の変更の可否を判断する（ステップＳ１４）。条件判定部１５６Ｂは、図１０で説明した使用不許可判定テーブルに基づいて判定部１５４により判定された用紙の不許可の判定を変更するべきか否かを判定する。
【０１４５】
ステップＳ１４において、制御装置１０１は、使用不許可判定テーブルに基づいて判定の変更をすると判定した場合（ステップＳ１４においてＹＥＳ）には、印字を継続する（ステップＳ１２）。条件判定部１５６Ｂは、判定部１５４の判定を変更すると判定した場合には、用紙の使用を許可判定に変更して、判定結果を動作指令部１５８に出力する。動作指令部１５８は、変更された判定結果に従って印字動作を継続するようにプリンター２５に指示する。
【０１４６】
そして、処理を終了する（エンド）。
一方、ステップＳ１４において、制御装置１０１は、使用不許可判定テーブルに基づいて判定の変更をしないと判定した場合（ステップＳ１４においてＮＯ）には、印字を禁止する（ステップＳ１０）。条件判定部１５６Ｂは、判定部１５４の判定を変更しないと判定した場合には、判定部１５４の判定結果を動作指令部１５８に出力する。動作指令部１５８は、判定結果に従って印字動作を中止するようにプリンター２５に指示する。
【０１４７】
そして、処理を終了する（エンド）。
一般的な用紙を使用して印刷を行う環境下において、オートメディア検知機能を用いて用紙種別を行いつつ、ユーザの使用用紙の制限を行う場合、使用用紙の種別の切り替わりを見つけた際には印字を継続するか、停止するかを、使用環境に合わせ設定することが可能である。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４９】
１  画像形成装置、１０  感光体、１１  帯電装置、１３  露光装置、１４  現像器、１５Ｃ，１５Ｋ，１５Ｍ，１５Ｙ  トナーボトル、１７，４３  クリーニングユニット、１８  トナーセンサ、２０  スキャナー、２１  カバー、２２  用紙台、２３，４９  トレー、２５  プリンター、９０Ｃ，９０Ｋ，９０Ｍ，９０Ｙ  画像形成部、１０１  制御装置、１０２  ＲＯＭ、１０３  ＲＡＭ、１０４  ネットワークインターフェイス、１０５  操作パネル、１１０  記憶装置、１１２  プログラム、１２０  操作ディスプレイ、１５１  用紙設定部、１５２  切替検知部、１５４  判定部、１５６  判定変更部、１５６Ａ  テーブル設定部、１５６Ｂ  条件判定部、１５８  動作指令部。
【図１】
2020181163.tif 000003
【図２】
2020181163.tif 000004
【図３】
2020181163.tif 000005
【図４】
2020181163.tif 000006
【図５】
2020181163.tif 000007
【図６】
2020181163.tif 000008
【図７】
2020181163.tif 000009
【図８】
2020181163.tif 000010
【図９】
2020181163.tif 000011
【図１０】
2020181163.tif 000012
【図１１】
2020181163.tif 000013
【図１２】
2020181163.tif 000014
【図１３】
2020181163.tif 000015